(57)【要約】【課題】金属の軸を別途用意する必要を排除し、部品点数を削減するとともに合成樹脂材による一体成形により容易かつ安価に形成することを可能にし、しかも、カーブレールの組み立てを容易簡便にし、作業能率を向上させる。【解決手段】合成樹脂材からなるくの字状の可動底板１５はその曲折部にスペーサの機能を備えた枢軸部１７を設けて該枢軸部の両側端に小径軸１８，１９をそれぞれ突設した一体成形になり、一方の側板７は球抜き口２０の上流側の口縁部辺に可動底板１５の一方の小径軸１９を軸着するための軸受２３を設けると共に、該軸受は該側板の内面に小径軸１９を受け入れる軸嵌合凹部２４を設けると共に該軸受の外周にＵ字状の切込２５を穿設することにより該軸受に弾性機能を備えさせて形成し、他方の側板９は球抜き口２０の上流側の口縁部辺の前記軸受２３と向き合う位置に可動底板１５の他方の小径軸１８を軸着するための軸孔２６を設けてなる。【選択図】図３
2004313810.tif 000002
【特許請求の範囲】
【請求項１】
合成樹脂材からなるくの字状の可動底板はその曲折部にスペーサの機能を備えた枢軸部を設けて該枢軸部の両側端に小径軸をそれぞれ突設した一体成形になり、一方の側板は球抜き口の上流側の口縁部辺に可動底板の一方の小径軸を軸着するための軸受を設けると共に、該軸受は該側板の内面に小径軸を受け入れる軸嵌合凹部を設けると共に該軸受の外周にＵ字状の切込を穿設することにより該軸受に弾性機能を備えさせて形成し、他方の側板は球抜き口の上流側の口縁部辺の前記軸受と向き合う位置に可動底板の他方の小径軸を軸着するための軸孔を設けてなることを特徴とするパチンコ機のカーブレールに設けた球抜き装置の軸支構造。
【請求項２】
合成樹脂材からなるくの字状の可動底板を閉成操作する係合レバーはその回転端にスペーサの機能を備えた枢軸部を設けて該枢軸部の両側端に小径軸をそれぞれ突設した一体成形になり、一方の側板は可動底板の下方位置に係合レバーの一方の小径軸を軸着するための軸受を設けると共に、該軸受は該側板の内面に小径軸を受け入れる軸嵌合凹部を設けると共に該軸受の外周にＵ字状の切込を穿設することにより該軸受に弾性機能を備えさせて形成し、他方の側板は前記軸受と向き合う位置に係合レバーの他方の小径軸を軸着するための軸孔を設けてなることを特徴とするパチンコ機のカーブレールに設けた球抜き装置の軸支構造。
【請求項３】
側板の内面にＵ字状のリブからなる案内路を設け、該案内路の奥端部に軸受を設けた請求項１または２に記載のパチンコ機のカーブレールに設けた球抜き装置の軸支構造。
【請求項４】
側板の内面にＵ字状のリブからなる案内路を設け、該案内路の奥端部に軸孔を設けた請求項１または２に記載のパチンコ機のカーブレールに設けた球抜き装置の軸支構造。
【発明の詳細な説明】
【技術分野】
【０００１】
本発明は、パチンコ機のカーブレールに設けた球抜き装置の軸支構造、特に、カーブレールの組み立て後に、球抜き装置を着脱可能にする可動底板及び係合レバーの軸支構造に関するものである。
【背景技術】
【０００２】
従来、パチンコ機のカーブレールは、外板に、それぞれの一側縁に仕切壁を有する球流路を順に重ね、そして球流路を備えた裏板を最後に重ね合わせて複数条の球流路を設けて組み立てられ、そしてこのカーブレールには可動底板及び係合レバーを一対とする球抜き装置、及び、球切れ検知装置が組み込まれて、カーブレールの組み立てを終了するものが提供されている。
また、球抜き装置において、前記可動底板をカーブレールに設けられている軸に挿着することによりカーブレールに組み込み、係合レバーは機構板に設けた軸に枢着したものが下記特許文献１に開示されている。
【特許文献１】実公平４−１３０２３号公報
【発明の開示】
【発明が解決しようとする課題】
【０００３】
従来の技術で述べた球抜き装置は、図１１に示すように、可動底板１００と係合レバー１０１を一対としてなり、前記可動底板１００は略くの字状になり、曲折部に筒軸部１０２を有して、合成樹脂材により一体成形により形成され、前記係合レバー１０１は、回転端に筒軸部１０３を有して合成樹脂材により一体成形により形成され、これらの可動底板１００及び係合レバー１０１は、それぞれの筒軸部１０２、１０３に金属製の軸１０４、１０５を回動自在に挿着してカーブレールの所定箇所に軸着される。そして、前記カーブレールに球抜き装置の可動底板１００及び係合レバー１０１を組み込む工程においては、カーブレールの外板１０６に設けられた軸受１０７、１０８に金属製の軸１０４、１０５の一端を差し込んでおき、これらの軸１０４、１０５にそれぞれ可動底板１００及び係合レバー１０１のそれぞれの筒軸部１０２、１０３を挿着し、そして、軸１０４、１０５をあらかじめ差し込んだ状態で他の部品、即ち、仕切り壁を備えた複数の球流路（図示せず）を重ね合わせたり、球切れ検知装置（図示せず）を組み込むことによりカーブレールの組立を終了する。このようなカーブレールの組立構造において、カーブレールの組み立て終了後に、可動底板１００若しくは係合レバー１０１が作動不良等の理由で交換の必要が生じた場合、カーブレールが組み立てられている状態のままで、可動底板１００もしくは係合レバー１０１だけを自由に取り外したり、取り付けたりすることができず、この場合、必ずカーブレールの組立を解き、可動板１００若しくは係合レバー１０１を交換して再びカーブレールを組み立て直さなければならない不都合があった。
【０００４】
また、カーブレールに可動底板１００、係合レバー１０１を装着するために別途用意された軸１０４、１０５を使用するることは部品点数を多くするばかりでなく、組立工程において軸１０４、１０５があらかじめ設けられていると、この軸１０４、１０５が、他の部品、即ち、仕切り壁を備えた複数の球流路を重ね合わせたり、球切れ検知装置を組み込む作業の邪魔になり、カーブレールの組み立て作業の能率性を悪くする原因となり、しかも、前記軸１０４、１０５は、可動底板１００が球の重量圧を受けてたわみを生じることのないように、所望の剛性を備えさせなければならないために、金属性の軸の使用を余儀なくされているが、金属製の軸は高価で不経済である等の問題点があった。
【０００５】
本発明は、上記の点に鑑みてなされたもので、その目的とするところは、仕切り壁を備えた複数の球流路と球切れ検知装置を組み込むだ時点で、カーブレールの組み立てを終了し、この状態での組み立て終了後に、可動底板及び係合レバーをカーブレールに着脱可能とすると共に部品点数を削減し且つ優れた軸機能を有し、組立ても簡便にして作業性を向上した球抜き装置の軸支構造を提供するものである。
【課題を解決するための手段】
【０００６】
上記の目的を達成するために、請求項１に記載したパチンコ機のカーブレールに設けた球抜き装置の軸支構造は、合成樹脂材からなるくの字状の可動底板はその曲折部にスペーサの機能を備えた枢軸部を設けて該枢軸部の両側端に小径軸をそれぞれ突設した一体成形になり、一方の側板は球抜き口の上流側の口縁部辺に可動底板の一方の小径軸を軸着するための軸受を設けると共に、該軸受は該側板の内面に小径軸を受け入れる軸嵌合凹部を設けると共に該軸受の外周にＵ字状の切込を穿設することにより該軸受に弾性機能を備えさせて形成し、他方の側板は球抜き口の上流側の口縁部辺の前記軸受と向き合う位置に可動底板の他方の小径軸を軸着するための軸孔を設けてなることを特徴とする。
このため、可動底板を組立終了後のカーブレールに対し簡単に組み込むことができるようになる。
【０００７】
また、請求項２に記載したパチンコ機のカーブレールに設けた球抜き装置の軸支構造は、合成樹脂材からなるくの字状の可動底板を閉成操作する係合レバーはその回転端にスペーサの機能を備えた枢軸部を設けて該枢軸部の両側端に小径軸をそれぞれ突設した一体成形になり、一方の側板は可動底板の下方位置に係合レバーの一方の小径軸を軸着するための軸受を設けると共に、該軸受は該側板の内面に小径軸を受け入れる軸嵌合凹部を設けると共に該軸受の外周にＵ字状の切込を穿設することにより該軸受に弾性機能を備えさせて形成し、他方の側板は前記軸受と向き合う位置に係合レバーの他方の小径軸を軸着するための軸孔を設けてなることを特徴とする。
このため、係合レバーを組立終了後のカーブレールに対し簡単に組み込むことができるようになる。
【０００８】
また、請求項３に記載した発明は上記軸支構造において、側板の内面にＵ字状のリブからなる案内路を設け、該案内路の奥端部に軸受を設けたことを特徴とする。
このため、小径軸が軸受に容易に案内されるようになる。
【０００９】
また、請求項４に記載した発明は上記軸支構造において、側板の内面にＵ字状のリブからなる案内路を設け、該案内路の奥端部に軸孔を設けたことを特徴とする。
このため、小径軸が軸孔に容易に案内されるようになる。
【発明の効果】
【００１０】
組立終了後のカーブレールに可動底板および係合レバーを組込むに際して、一方の小径軸を最初に弾性機能を備えた軸受の軸嵌合凹部に挿し込み、次いで反対側の小径軸を奥へ進めることにより、該軸受が側板の外方向に弾性的に反り返り、該小径軸が軸孔に達したとき、その復元力により自然に挿入され、軸受が常態位置に復帰位置し、カーブレールの両側板間に可動底板および係合レバーが軸架される。このため従来のように金属の軸を別途用意する必要を排除し、部品点数を削減するとともに合成樹脂材による一体成形により容易かつ安価に形成することを可能にし、しかも、カーブレールの組み立てをも容易簡便にし、作業能率を向上させることができる。
【実施例１】
【００１１】
以下本発明の一実施例を図面に基づいて説明すると、図１は、パチンコ機の裏面図で、１は遊戯盤、２は遊戯盤の後面に取外し可能に配置された機構板、３はその上方に取付けられた賞球タンク、４は賞球タンク３内の賞球をカーブレール５を介して賞球放出装置６に導く誘導樋を示す。
【００１２】
図２は本発明に係るカーブレールの分解斜視図、図３は可動底板と係合レバーを取り外して示すカーブレールの斜視図で、カーブレール５は、一方の側板７（以下、「外板７」いう。）と、球流路８を有する他方の側板９（以下、「裏板９」いう。）との間に、一側縁に仕切板１０を有する球流路１１を複数個、好ましくは２個を重ね合わせて、第一球流路８ａ、第二球流路１１ａ，第三球流路１１ｂとの３条の球流路を備えられ、各球流路８ａ，１１ａ，１１ｂごとにセンサーとして機能する複数の可動片１２及びこの可動片１２の押圧により接続する複数の接続子１３を納めたスイッチボックス１４からなる球切れ検知装置が組み込まれることにより組み立てられる。この状態において、このカーブレール５には、図３に示すように、可動底板１５と係合レバー１６で一対とする球抜き装置が組み込まれていない。
【００１３】
前記可動底板１５は、図３に示すように、くの字状に曲折する曲折部にスペーサの機能を備えた枢軸部１７を設け、この枢軸部１７の両側端に小径軸１８，１９をそれぞれ一体に突設して合成樹脂材により一体成形される。そして、前記外板７の内面には、図４に拡大して示すように、この外板７の側縁から球抜き口２０の上流側の口縁部辺に至るＵ字状のリブ２１ａによって案内路２２ａを設け、この案内路２２ａの奥端部で外板７の外面に突出する短柱状の軸受２３を設け且つこの軸受２３の内面に軸嵌合凹部２４が設けられ、前記リブ２１ａの奥端部辺の外周に切込２５を穿設して軸受２３に弾性機能を備えさせて形成し、裏板９の内面には、図５に拡大して示すように、この裏板９の側縁から球抜き口２０の上流側の口縁に至るＵ字状のリブ２１ｂによって案内路２２ｂを設け、この案内路２２ｂの奥端部で軸孔２６を設けて形成され、これらの案内路２２ａと案内路２２ｂとは互いに向き合う対称位置に設置されて、前記可動底板１５の一方の小径軸１９を外板７の軸受２３の軸嵌合凹部２４に挿着し、他方の小径軸１８を裏板９の軸孔２６に挿着する。そして、図６に示すように、枢軸部１７の両側端は外板７のリブ２１ａと裏板９のリブ２１ｂのそれぞれの奥端の上面に接して、可動底板１５を外板７と裏板９の間に軸架設置される。
【００１４】
カーブレール５に軸着された可動底板１５は、その上面に乗る球重量により下向きに回動して球抜き口２０を解放するように設けられると共に、係合爪片部２７に重錘２８を挿着して前記球重量から解放されるとその重錘２８の作用力で、図８実線のように球抜き口２０を塞ぐ位置に回動復帰するようになっている。
【００１５】
前記係合レバー１６は、図３に示すように、回転端にスペーサの機能を備えた枢軸部２９を両側へ同じ長さに一体に延長形成すると共に枢軸部２９の両側端に小径軸３０，３１を突設して一体成形される。そして、前記外板７の内面に前記可動底板１５を軸着する軸受２３の下方に、図４に拡大して示すように、Ｕ字状のリブ３２ａによって案内路３３ａを設け、この案内路３３ａの奥端部で外板７の外面に突出する短柱状の軸受３４を設け且つこの軸受３４の内面に軸嵌合凹部３５が設けられ、前記リブ３２ａの奥端部辺の外周に切込３６を穿設して軸受３４に弾性機能を備えさせて形成し、裏板９の内面の前記可動底板１５を軸着する軸孔２６の下方に、図５に拡大して示すように、Ｕ字状のリブ３２ｂによって案内路３３ｂを設け、この案内路３３ｂの奥端部で軸孔３７を設けて形成され、これらの案内路３３ａと案内路３３ｂとは互いに向き合う対称位置に設置されて、前記係合レバー１６の一方の小径軸３１を外板７の軸嵌合凹部３５に挿着し、他方の小径軸３０を裏板９の軸孔３７に挿着する。そして、図６に示すように、可動底板１５の下方に回動自在に軸支された係合レバー１６の係止突部３８を前記可動底板１５の係合爪片部２７に接触係合させて、外板７と裏板９の間に組み込み設置される。
【００１６】
３９は裏板９の張出壁部４０に設けられた作動板で、前記張出壁部４０に設けた支承部４１に前記係合レバー１６と直交させて横軸４２を差し渡し、この横軸４２に前記作動板３９の下端曲折部分を軸支し、この作動板３９は、連結ピン４３と幅広とした上部の押片部４４を有し、連結ピン４３を前記係合レバー１６に形成した横長孔４５に挿通連結する。作動板３９は横軸４２に巻付けたばね４６で附勢された連結ピン４３によって係合レバー１６を上方へ回動させて係止突部３８に可動底板１５の係合爪片部２７を係止し可動底板１５を球抜き口２０を塞ぐ位置に拘束する。
【００１７】
そして、賞球タンク３の賞球を抜取るにはパチンコ機前面からピン等を差し込んで作動板３９の押片部４４を押す。これによって、作動板３９が下向き回動し、連結ピン４３により係合レバー１６を下動して係止突部３８による可動底板１５の係合爪片部２７との係合を外す。このため、可動底板１５はフリー状態となり上面に乗る球重量により枢軸部１７を支点として回動して球抜き口２０を開き、賞球を球抜き樋４７に落下させて球抜きすることができる。
【００１８】
そして、球抜き終了後に再びピン等を差し込んで作動板３９を下向き回動させて係合レバー１６を下動させることにより可動底板１５の自重により球抜き口２０を塞ぐ位置に復帰し、また、作動板３９の押圧を解除することにより係合レバー１６がその係止突部３８を係合爪片部２７に係合する位置に復帰して可動底板１５を拘束する。
【図面の簡単な説明】
【００１９】
【図１】パチンコ機の裏面図である。
【図２】本発明のカーブレールの分解斜視図である。
【図３】本発明の可動底板及び係合レバーを取り外して示すカーブレールの斜視図である。
【図４】本発明のカーブレールの外板に設けた軸支機構の要部拡大斜視図である。
【図５】本発明のカーブレールの裏板に設けた軸支機構の要部拡大斜視図である。
【図６】本発明のカーブレールの組み立て状態を外板の側から示す斜視図である。
【図７】本発明のカーブレールの組み立て状態を裏板の側から示す斜視図である。
【図８】本発明のカーブレールをパチンコ機に設置して示す要部断面図である。
【符号の説明】
【００２０】
５              カーブレール
７              側板（外板）
９              側板（裏板）
１５            可動底板
１６            係合レバー
１７            枢軸部
１８，１９      小径軸
２０            球抜き口
２１ａ，２１ｂ  リブ
２２ａ，２２ｂ  案内路
２３            軸受
２４            軸嵌合凹部
２５            切込
２６            軸孔
２９            枢軸部  ３０，３１      小径軸
３４            軸受
３５            軸嵌合凹部
３６            切込
３７            軸孔
【図１】
2004313810.tif 000003
【図２】
2004313810.tif 000004
【図３】
2004313810.tif 000005
【図４】
2004313810.tif 000006
【図５】
2004313810.tif 000007
【図６】
2004313810.tif 000008
【図７】
2004313810.tif 000009
【図８】
2004313810.tif 000010